(57)【要約】【課題】捩れ強度及び引張強度が高く、耐久年数を長くすることができるドア枠部材及びドア枠を提供する。【解決手段】両縦枠部材３０，３０の正面間に複数の第２横枠部材２０，２０，…を掛け渡す。そして、第１固定螺子８，８，…を、第１連結部２８ａ，２８ａの螺子孔と第１担持部３３ａ，３３ａの螺子孔とを貫通ように螺入させ、第２固定螺子９，９，…を、第２担持部３７，３７の螺子孔と第２連結部２８ｂ，２８ｂの螺子孔とを貫通ように螺入させることによって、各第２横枠部材２０を両縦枠部材３０，３０間にそれぞれ架設する。【選択図】図２
2006296250.tif 000002
【特許請求の範囲】
【請求項１】
シートを固定するための溝部を条材の長手方向へ延設してなる本体を備え、複数の本体を連結させてドア枠を形成するドア枠部材において、
前記本体は筒状にしてあることを特徴とするドア枠部材。
【請求項２】
前記本体は端面視が略長方形状にしてあり、この本体の一長辺を構成する第１壁部の表側に前記溝部が設けてあり、
この本体の両端部にそれぞれ、第１壁部を除く部分を除去して他のドア枠部材に連結する第１連結部と、本体の他長辺を構成する第２壁部の長手方向の端部を具備し、他のドア枠部材に連結する第２連結部とが設けてある請求項１記載のドア枠部材。
【請求項３】
少なくとも前記第２連結部に、第２連結部の内側であって幅方向の適宜位置に、第２壁部の長手方向へ長い帯状の座部が突設してある請求項２記載のドア枠部材。
【請求項４】
前記本体は端面視が略長方形状にしてあり、この本体の一長辺を構成する第１壁部の表側であって第１壁部の一側縁がわに前記溝部を設けると共に、第１壁部の他側縁がわの部分を、他のドア枠部材の端部の一部を担持する第１担持部にしてあり、前記本体の一短辺を構成し、前記第１担持部に連接する側壁部に、前記他のドア枠部材の端部の他の部分を担持する第２担持部が立設してある請求項１記載のドア枠部材。
【請求項５】
第１担持部の内側であって奥行き方向の適宜位置に、第１壁部の長手方向へ長い帯状の座部が突設してある請求項４記載のドア枠部材。
【請求項６】
前記第１壁部には、前記溝部の底部を第１担持部より突出させて段差部が設けてある請求項３、４又は５記載のドア枠部材。
【請求項７】
前記第２壁部には、相隣るドア枠との間隙を塞ぐ間隙部材を固定するための固定用溝が第２壁部の長手方向へ延設してあり、固定用溝の開口に臨む両縁部に、前記隙間部材に係止する係止部がそれぞれ固定用溝の開口へ延出してある請求項３から６のいずれかに記載のドア枠部材。
【請求項８】
前記間隙部材は、帯板状本体の一面であって当該帯板状本体の一側縁がわに前記両係止部に外嵌する外嵌部を突設してなる間隙部材が前記固定用溝に、帯板状本体の他側縁がわを前記本体から突出させて着脱可能に固定してある請求項７記載のドア枠部材。
【請求項９】
シートを固定するための溝部を条材の長手方向へ延設してなる本体を備えるドア枠部材複数を連結させたドア枠において、
請求項１から８の何れかに記載のドア枠部材を用いてなることを特徴とするドア枠。
【請求項１０】
シートを固定するための溝部を条材の長手方向へ延設してなる本体を備えるドア枠部材複数を連結させたドア枠において、
請求項２又は３記載のドア枠部材の第１連結部が、請求項４から８の何れかに記載のドア枠部材の第１担持部上に載置してあり、請求項２又は３記載のドア枠部材の第２連結部が請求項４から８の何れかに記載のドア枠部材の第２担持部上に載置してあり、第１連結部及び第１担持部はそれらを貫通させた第１固定螺子で固定してあり、第２連結部及び第２担持部はそれらを貫通させた第２固定螺子で固定してあることを特徴とするドア枠。
【発明の詳細な説明】
【技術分野】
【０００１】
本発明は、植物の栽培及び動物の育成等に使用するハウスのドアの骨材たるドア枠部材、及び該ドア枠部材を用いて構成したドア枠に関する。
【背景技術】
【０００２】
複数の骨材で構築した骨組みの周囲をビニールシートで覆ったビニールハウスがある。かかるビニールハウスでは、その妻面に矩形の出入口が設けてあり、この出入口には、複数の枠部材を例えば「目」字状に接続してなるドア枠をビニールシートで覆ったドアが、開閉自在に配設してある。このようなドア枠として、後述する特許文献１には次のようなものが開示されている。
【０００３】
図１８は、特許文献１に開示されたドア枠の使用様態を示す部分斜視図であり、図中、６１は、出入口の上端部に横架された上レール、５１は、該上レール６１に吊下されたドア枠である。また、図１９は、図１８に示した上レール６１及びドア枠５１の部分縦断面図である。上レール６１は、帯板を端面視が矩形Ｃ字状に曲加工することによって一面に開口６２を設けてなり、この開口６２が下に向くように配設されている。上レール６１の内部には鼓形状の２つの戸車６３，６３が前記開口６２を跨ぐように挿入してあり、両戸車６３，６３の括れ部分の周囲には、ドア枠５１を支持する倒立Ｊ字状の支持具６４，６４が遊嵌してある。
【０００４】
ドア枠５１は、距離を隔てて互いに平行に配した縦枠部材５２ａ，５２ａの間に、縦枠部材５２ａと同じ端部形状・端部寸法の複数の横枠部材５２ｂ，５２ｂ，…を、例えば目字状に横架させ、縦枠部材５２ａ，５２ａと複数の横枠部材５２ｂ，５２ｂ，…とを螺子止めして形成してある。このドア枠５１の少なくとも一面側を図示しないビニールで覆うことによってドアが形成される。
【０００５】
前述した縦枠部材５２ａ及び横枠部材５２ｂは、帯板の長手方向の全領域に亘って、その幅方向の中央より少し一側縁側の部分を、端面視が縦断フラスコ底形状に曲加工して、ビニール止用のスプリング（図示せず）を嵌入させる溝状凹部５３を設けてなり、該溝状凹部５３の一側から延出した部分は、溝状凹部５３の深さ方向へ、溝状凹部５３の底部から所定長だけ突出するように屈曲させて側壁部５４になすと共に、その先縁部を内巻き円筒状に巻回させてある。また、縦枠部材５２ａ及び横枠部材５２ｂの前記溝状凹部５３の他側から延出した部分は、溝状凹部５３の深さ方向へ、溝状凹部５３の底部位置まで屈曲させた後、その位置で、溝状凹部５３の深さ方向と直交し、溝状凹部５３から離隔する方向へ屈曲させてある。
【０００６】
このように、縦枠部材５２ａ及び横枠部材５２ｂは、端面視が全体としてＬ字状をなしており、これによって、縦枠部材５２ａと横枠部材５２ｂとの連結領域、及び支持具６４の横枠部材５２ｂへの取付け領域を得ると共に、材料に要するコストを可及的に低くしている。
【０００７】
横枠部材５２ｂの両端部にはそれぞれ、前述した側壁部５４を横枠部材５２ｂの端から所定長だけ切削した切り欠きを設けて連結部（側壁部５４以外の部分）が形成してある。そして、縦枠部材５２ａ，５２ａを、各側壁部５４，５４を外側にして、所定距離を隔てて互いに平行に配置し、その間に横枠部材５２ｂを、横枠部材５２ｂの両連結部が対応する縦枠部材５２ａに外嵌するように横架させ、横枠部材５２ｂの両連結部と縦枠部材５２ａ，５２ａとを螺子止めしてドア枠５１が形成してある。かかるドア枠に長方形のビニールシートを被覆させ、このビニールシートの外側からその各縁部又は中間部分を複数の蛇行形状の前記スプリングでそれぞれ押さえ、各スプリングを、対応する縦枠部材５２ａ，５２ａ及び横枠部材５２ｂ，５２ｂ，…の溝状凹部５３，５３，…内に嵌入させてドアを形成する。
【０００８】
このドア枠５１の最上段の横枠部材５２ｂの前記支持具６４，６４に対向する部分にはそれぞれ２つずつ貫通孔が開設してある。また、前述した支持具６４，６４は、短寸脚部及び長寸脚部を具備しており、長寸脚部の外周面には螺子山が切削してある。この支持具６４，６４は、両脚部を対応する貫通孔に挿通させ、長寸脚部にナットを螺着させることによって、横枠部材５２ｂに固定してあり、ドア枠５１は、両支持具６４，６４及び戸車６３，６３によって上レール６１に、その長手方向へスライド自在に吊下されている。
【０００９】
【特許文献１】特開平８−２６６１６６号公報（図１、図４）
【発明の開示】
【発明が解決しようとする課題】
【００１０】
しかしながら、このような従来のドア枠５１にあっては、縦枠部材５２ａ及び横枠部材５２ｂが、その端面視が全体としてＬ字状をなしているため、捩れ強度が低く、ドア枠５１の耐久年数が短いという問題があった。
【００１１】
本発明は、斯かる事情に鑑みてなされたものであって、捩れ強度が高く、これによって耐久年数を長くすることができるドア枠部材、及びこのドア枠部材を用いてなるドア枠を提供する。
【課題を解決するための手段】
【００１２】
請求項１記載の本発明は、シートを固定するための溝部を条材の長手方向へ延設してなる本体を備え、複数の本体を連結させてドア枠を形成するドア枠部材において、前記本体は筒状にしてあることを特徴とする。
【００１３】
請求項２記載の本発明は、前記本体は端面視が略長方形状にしてあり、この本体の一長辺を構成する第１壁部の表側に前記溝部が設けてあり、この本体の両端部にそれぞれ、第１壁部を除く部分を除去して他のドア枠部材に連結する第１連結部と、本体の他長辺を構成する第２壁部の長手方向の端部を具備し、他のドア枠部材に連結する第２連結部とが設けてあることを特徴とする。
【００１４】
請求項３記載の本発明は、少なくとも前記第２連結部に、第２連結部の内側であって幅方向の適宜位置に、第２壁部の長手方向へ長い帯状の座部が突設してあることを特徴とする。
【００１５】
請求項４記載の本発明は、前記本体は端面視が略長方形状にしてあり、この本体の一長辺を構成する第１壁部の表側であって第１壁部の一側縁がわに前記溝部を設けると共に、第１壁部の他側縁がわの部分を、他のドア枠部材の端部の一部を担持する第１担持部にしてあり、前記本体の一短辺を構成し、前記第１担持部に連接する側壁部に、前記他のドア枠部材の端部の他の部分を担持する第２担持部が立設してあることを特徴とする。
【００１６】
請求項５記載の本発明は、第１担持部の内側であって奥行き方向の適宜位置に、第１壁部の長手方向へ長い帯状の座部が突設してあることを特徴とする。
【００１７】
請求項６記載の本発明は、前記第１壁部には、前記溝部の底部を第１担持部より突出させて段差部が設けてあることを特徴とする。
【００１８】
請求項７記載の本発明は、前記第２壁部には、相隣るドア枠との間隙を塞ぐ間隙部材を固定するための固定用溝が第２壁部の長手方向へ延設してあり、固定用溝の開口に臨む両縁部に、前記隙間部材に係止する係止部がそれぞれ固定用溝の開口へ延出してあることを特徴とする。
【００１９】
請求項８記載の本発明は、前記間隙部材は、帯板状本体の一面であって当該帯板状本体の一側縁がわに前記両係止部に外嵌する外嵌部を突設してなる間隙部材が前記固定用溝に、帯板状本体の他側縁がわを前記本体から突出させて着脱可能に固定してあることを特徴とする。
【００２０】
請求項９記載の本発明は、シートを固定するための溝部を条材の長手方向へ延設してなる本体を備えるドア枠部材複数を連結させたドア枠において、請求項１から８の何れかに記載のドア枠部材を用いてなることを特徴とする。
【００２１】
請求項１０記載の本発明は、シートを固定するための溝部を条材の長手方向へ延設してなる本体を備えるドア枠部材複数を連結させたドア枠において、請求項２又は３記載のドア枠部材の第１連結部が、請求項４から８の何れかに記載のドア枠部材の第１担持部上に載置してあり、請求項２又は３記載のドア枠部材の第２連結部が請求項４から８の何れかに記載のドア枠部材の第２担持部上に載置してあり、第１連結部及び第１担持部はそれらを貫通させた第１固定螺子で固定してあり、第２連結部及び第２担持部はそれらを貫通させた第２固定螺子で固定してあることを特徴とする。
【発明の効果】
【００２２】
請求項１記載の本発明では、シートを固定するための溝部を条材の長手方向へ延設してなる本体を備えるドア枠部材において、前記本体は筒状にしてあるため、いずれの方向から外力が加えられても変形が防止され、従って捩れに抗する強度が高く、例えば台風などの大風に対しても十分な強度を有するものとなる。
【００２３】
請求項２記載の本発明では、前記本体は端面視が略長方形状にしてあり、この本体の一長辺を構成する第１壁部の表側に前記溝部が設けてあり、この本体の両端部にそれぞれ、第１壁部を除く部分を除去して他のドア枠部材に連結する第１連結部と、本体の他長辺を構成する第２壁部の長手方向の端部を具備し、他のドア枠部材に連結する第２連結部とが設けてある。このように、第１連結及び第２連結部によって３次元的に位置を異ならせて連結することができるため、連結部における捩れ強度が高く、全体的な強度がより高くなり、結果的に耐久性や寿命も向上する。
【００２４】
請求項３記載の本発明では、少なくとも前記第２連結部に、第２連結部の内側であって幅方向の適宜位置に、第２壁部の長手方向へ長い帯状の座部が突設してあるため、他のドア枠部材に固定螺子を用いて連結させる場合、当該固定螺子によって前記座部を貫通させる。このように、座部によって第２壁部の螺子固定部分の構造強度を高くすることができ、全体的な強度を更に高めることができる。
【００２５】
請求項４記載の本発明では、前記本体は端面視が略長方形状にしてあり、この本体の一長辺を構成する第１壁部の表側であって第１壁部の一側縁がわに前記溝部を設けると共に、第１壁部の他側縁がわの部分を、他のドア枠部材の端部の一部を担持する第１担持部にしてあり、前記本体の一短辺を構成し、前記第１担持部に連接する側壁部に、前記他のドア枠部材の端部の他の部分を担持する第２担持部が立設してあるため、第１担持部及び第２担持部によって、他のドア枠部材を３次元的に位置を異ならせて連結することができ、従って、連結部における捩れ強度が高く、全体的な強度を更に高めることができる
【００２６】
請求項５記載の本発明では、第１担持部の内側であって奥行き方向の適宜位置に、第１壁部の長手方向へ長い帯状の座部が突設してあるため、他のドア枠部材を固定螺子を用いて連結させる場合、当該固定螺子によって前記座部を貫通させる。このように、座部によって第１壁部の螺子固定部分の構造強度を高くすることができ、全体的な強度を更に高めることができる。
【００２７】
請求項６記載の本発明では、前記第１壁部には、前記溝部の底部を第１担持部より突出させて段差部が設けてあるため、他のドア枠部材を連結させた場合、当該他のドア枠部材に設けてある溝部の縁部の高さ位置と、そのドア枠部材の第１壁部に設けた溝部の縁部の高さ位置とを同じにすることができ、ドア枠にシートを展張させる場合、シートに疵を付けることが防止できる。また、溝部の設計変更が不要であり、従って、シートと溝部に係止するためのスプリング等、溝部に関する他の部品をそのまま使用することができる。
【００２８】
請求項７記載の本発明では、前記第２壁部には、相隣るドア枠との間隙を塞ぐ間隙部材を固定するための固定用溝が第２壁部の長手方向へ延設してあり、固定用溝の開口に臨む両縁部に、前記隙間部材に係止する係止部がそれぞれ固定用溝の開口へ延出してあるため、固定用溝内に隙間部材を、係止部が隙間部材に係止した状態で固定することができ、隙間部材を容易に固定することができる。
【００２９】
請求項８記載の本発明では、前記間隙部材は、帯板状本体の一面であって当該帯板状本体の一側縁がわに前記両係止部に外嵌する外嵌部を突設してなる間隙部材が前記固定用溝に、帯板状本体の他側縁がわを前記本体から突出させて着脱可能に固定してあるため、間隙部材の外嵌部が固定用溝の係止部に外嵌することによって、間隙部材にガタが発生することが防止される。
【００３０】
請求項９記載の本発明では、シートを固定するための溝部を条材の長手方向へ延設してなる本体を備えるドア枠部材複数を連結させたドア枠において、請求項１から８の何れかに記載のドア枠部材を用いてなるため、前同様、捩れ強度が高く、大風などに対する強度を高めることができる。
【００３１】
請求項１０記載の本発明では、シートを固定するための溝部を条材の長手方向へ延設してなる本体を備えるドア枠部材複数を連結させたドア枠において、請求項２又は３記載のドア枠部材の第１連結部が、請求項４から８の何れかに記載のドア枠部材の第１担持部上に載置してあり、請求項２又は３記載のドア枠部材の第２連結部が請求項４から８の何れかに記載のドア枠部材の第２担持部上に載置してあり、第１連結部及び第１担持部はそれらを貫通させた第１固定螺子で固定してあり、第２連結部及び第２担持部はそれらを貫通させた第２固定螺子で固定してあるため、連結した両ドア枠部材同士を３次元的に位置を異ならせて連結することができ、従って、連結部における捩れ強度が高く、例えば台風などの大風に対しても十分な強度を有するものとなる。
【発明を実施するための最良の形態】
【００３２】
本発明に係るドア枠部材は、シートを固定するための溝部を条材の長手方向へ延設してなる本体を備え、前記本体は筒状にしてある。
【００３３】
この本体は端面視が略長方形状にしてあり、本体の一長辺を構成する第１壁部の表側に前記溝部が設けてあり、この本体の両端部にそれぞれ、第１壁部を除く部分を除去して他のドア枠部材に連結する第１連結部と、本体の他長辺を構成する第２壁部の長手方向の端部を具備し、他のドア枠部材に連結する第２連結部とが設けてある。
【００３４】
また、少なくとも前記第２連結部に、第２連結部の内側であって幅方向の適宜位置に、第２壁部の長手方向へ長い帯状の座部が突設してある。
【００３５】
一方、前記本体は端面視が略長方形状にしてあり、この体の一長辺を構成する第１壁部の表側であって第１壁部の一側縁がわに前記溝部を設けると共に、第１壁部の他側縁がわの部分を、他のドア枠部材の端部の一部を担持する第１担持部にしてあり、前記本体の一短辺を構成し、前記第１担持部に連接する側壁部に、前記他のドア枠部材の端部の他の部分を担持する第２担持部が立設してある。
【００３６】
この第１担持部の内側であって奥行き方向の適宜位置に、第１壁部の長手方向へ長い帯状の座部が突設してある。
【００３７】
また、前記第１壁部には、前記溝部の底部を第１担持部より突出させて段差部が設けてある。
【００３８】
一方、前記第２壁部には、相隣るドア枠との間隙を塞ぐ間隙部材を固定するための固定用溝が第２壁部の長手方向へ延設してあり、固定用溝の開口に臨む両縁部に、前記隙間部材に係止する係止部がそれぞれ固定用溝の開口へ延出してある。
【００３９】
また、前記間隙部材は、帯板状本体の一面であって当該帯板状本体の一側縁がわに前記両係止部に外嵌する外嵌部を突設してなる間隙部材が前記固定用溝に、帯板状本体の他側縁がわを前記本体から突出させて着脱可能に固定してある。
【００４０】
ところで本発明に係るドア枠は、シートを固定するための溝部を条材の長手方向へ延設してなる本体を備えるドア枠部材複数を連結させる場合、前述した各ドア枠部材を用いてある。
【００４１】
また、本発明に係るドア枠は、シートを固定するための溝部を条材の長手方向へ延設してなる本体を備えるドア枠部材複数を連結させたドア枠において、ドア枠部材の第１連結部が、他のドア枠部材の第１担持部上に載置してあり、前記ドア枠部材の第２連結部が他のドア枠部材の第２担持部上に載置してあり、第１連結部及び第１担持部はそれらを貫通させた第１固定螺子で固定してあり、第２連結部及び第２担持部はそれらを貫通させた第２固定螺子で固定してある。
【００４２】
以下、本発明の実施例を図面に基いて詳述する。
【００４３】
図１は、本発明に係るドア枠の一例を示す正面斜視図であり、図２は、図１に示したドア枠の分解斜視図である。両図中、１０は第１横枠部材、２０は第２横枠部材、３０は縦枠部材であり、本実施例にあっては各部材１０，２０，３０は共に、アルミニウムを用いた押出成形により形成してある。また、図３は、図１に示したドア枠の部分拡大断面図を含む背面図であり、上段の円内には、第１横枠部材１０のＩ−Ｉ線による断面図を、また下段の円内には、第２横枠部材２０のＩＩ−ＩＩ線による断面図を示してある。なお、各部材１０，２０，３０は、アルミニウムを用いた押出成形に限らず、鉄材を用いた圧延成形等の他の成形方法によってもよいことはいうまでもない。
【００４４】
図１から図３に示した如く、ドア枠２は、距離を隔てて互いに平行に配した筒状の縦枠部材３０，３０の間に、縦枠部材３０の上端から順に、第１横枠部材１０、及び複数の筒状の第２横枠部材２０，２０，…を、縦枠部材３０の長手方向へ適宜距離を隔てて横架させ、後述するように縦枠部材３０，３０と第１横枠部材１０及び各第２横枠部材２０，２０，…とを表裏面から螺子止めして組み立ててあり、第１横枠部材１０の両端近傍にはそれぞれ、鼓形状の戸車６，６が倒立Ｕ字状の取付具７，７によって、回動自在に取り付けてある。また、一方の縦枠部材３０の裏面側には、閉じた状態で相隣るドア枠との間隙を塞ぐ帯板状の間隙部材４０が固定してあり、当該縦枠部材３０の正面には取手４が螺子止めしてある。
【００４５】
図４から図８は、図１に示した縦枠部材３０の部分正面図、部分背面図、一側面図、他側面図、及び平面図であり、図９は図８に示した縦枠部材３０のＩＶ−ＩＶ線による断面図である。
【００４６】
図４から図９に示した如く、縦枠部材３０は、天井部（第１壁部）３３、底壁部（第２壁部）３２及び両側壁部３４，３４を設けてなり、略横長長方形の筒状の縦枠本体３１を備えている。縦枠本体３１の底壁部３２の一側壁部３４の近傍には、帯状の開口３５ａが縦枠本体３１の長手方向の全領域に亘って設けてあり、底壁部３２は、開口３５ａより一側壁部３４側の第１部分（係合部）３２ａと、開口３５ａより他側壁部３４側の第２部分３２ｂとに分けられている。縦枠本体３１の内部には前記開口３５ａに臨ませて、一側壁部３４の第１部分３２ａ近傍と第２部分３２ｂの開口３５ａ近傍とを連結する平面視略Ｌ字状の連結部３５ｂが架設してあり、連結部３５ｂ、一側壁部３４の第１部分３２ａ近傍の部分、第１部分３２ａ、及び第２部分３２ｂの開口３５ａに突出した突出部（係合部）３２ｃで囲まれる領域は、前述した間隙部材４０（図２参照）の一部を内嵌固定するための固定用溝３５にしてある。
【００４７】
一方、天井部３３の幅方向の略中央より一側壁部３４側の領域はそれ以外の領域より、略天井部３３の厚さ寸法だけ外側へ突出させて段差部３３ｃが設けてあり、この領域の両側縁部には、シート止用のスプリングを嵌入させる縦枠用溝部３６を構成する平面視が略乙字状の縦枠用溝壁部３６ａ，３６ａが縦枠本体３１の長手方向の全領域に亘って立設してあり、縦枠用溝部３６は、縦枠用溝壁部３６ａ，３６ａ及び天井部３３の両縦枠用溝壁部３６ａ，３６ａ間の部分によって、平面視が縦断フラスコ底形状に構成されている。
【００４８】
天井部３３の相対的に凹になした部分は第１及び第２横枠部材１０，２０の端部を担持する第１担持部３３ａにしてあり、第１担持部３３ａの幅方向の略中央には、肉厚を相対的に厚くした帯状の縦枠用厚肉部３３ｂが縦枠本体３１の内部へ突出する様態で、縦枠本体３１の長手方向の全領域に亘って設けてある。この縦枠用厚肉部３３ｂの表面であって、縦枠用厚肉部３３ｂの幅方向の略中央には、位置決め用の線状凹部３３ｄが形成してある。
【００４９】
また、他側壁部３４の底壁部３２側の端には、第１及び第２横枠部材１０，２０の端部を担持するフランジ状の第２担持部３７が、底壁部３２と面一に立設してある。
【００５０】
そして、図１から図３に示した如く、第１担持部３３ａには、第１固定螺子８，８，…を螺入させる複数対の螺子孔が、縦枠部材３０の長手方向へ適宜の間隔を隔てて開設してあり、また、第２担持部３７の長手方向の一端近傍を除く部分には、第２固定螺子９，９，…を螺入させる複数の螺子孔が、縦枠部材３０の長手方向へ適宜の間隔を隔てて開設してある。
【００５１】
一方、第１横枠部材１０は、断面視が矩形Ｃ字状の第１横枠本体１１（図３参照）を備えており、第１横枠本体１１の両側壁部１５，１５の縁部はそれぞれ内側に曲成してフック部１６，１６にしてある。また、一側壁部１５の厚さは他側壁部１５の厚さより厚くしてあり、長手方向の両端近傍にそれぞれ、前述した戸車６，６を取り付けるための２対の取付孔１９，１９、１９，１９が開設してある。そして、両戸車６，６の括れ部に外嵌させた取付具７，７の両脚部を対応する取付孔１９，１９、１９，１９に挿通させると共に、各脚部の先端部にナットを螺着させ、これらナットと各脚部の基部側に予め螺着させた他のナットとで一側壁部１５を挟持することによって、両戸車６，６が回動自在に取り付けてある。
【００５２】
第１横枠本体１１の天井部１２であって、幅方向の中央位置、及び前記一側壁部１５側の縁部には、シート止用のスプリングを嵌入させる第１横枠用溝部１４を構成する断面視が略乙字状の第１横枠用溝壁部１３，１３が第１横枠本体１１の長手方向の全領域に亘って立設してある。このように第１横枠用溝部１４は、第１横枠用溝壁部１３，１３及び天井部１２の両第１横枠用溝壁部１３，１３間の部分によって、断面視が縦断フラスコ底形状に構成されている。
【００５３】
また、第１横枠本体１１の両側壁部１５，１５であって第１横枠本体１１の両端近傍の部分を矩形状に切り欠いて、第１横枠本体１１の天井部１２の両端部分を、対応する縦枠部材３０，３０の第１担持部３３ａ，３３ａに連結させる第１横枠用連結部１８，１８にしてあり、両第１横枠用連結部１８，１８には、第１固定螺子８，８、８，８を螺入するための２対の螺子孔が、天井部１２の幅方向へ距離を隔てて開設してある。
【００５４】
一方、前述した第２横枠部材２０は、断面視が縦長長方形の筒状の第２横枠本体２１を備えており、第２横枠本体２１の底壁部（第２壁部）２２の幅方向の略中央には、肉厚を相対的に厚くした帯状の横枠用厚肉部２２ｂが第２横枠本体２１の内部へ突出する様態で、第２横枠本体２１の長手方向の全領域に亘って設けてある。また、第２横枠本体２１の底壁部２２の表面であって、前記横枠用厚肉部２２ｂの幅方向の略中央には、位置決め用の線状凹部２２ｄが、底壁部２２の長手方向の全領域に亘って設けてある。
【００５５】
また、第２横枠本体２１の天井部（第１壁部）２３であって、幅方向の中央位置、及び一側壁部２４側の縁部には、シート止用のスプリングを嵌入させる第２横枠用溝部２６を構成する断面視が略乙字状の第２横枠用溝壁部２６ａ，２６ａが第２横枠本体２１の長手方向の全領域に亘って立設してある。このように第２横枠用溝部２６は、第２横枠用溝壁部２６ａ，２６ａ及び天井部２３の両第２横枠用溝壁部２６ａ，２６ａ間の部分によって、断面視が縦断フラスコ底形状に構成されている。
【００５６】
第２横枠本体２１の両端部には、縦枠部材３０に連結させるための第２横枠用連結部２８，２８が設けてある。即ち、第２横枠本体２１の両側壁部２４，２４及び底壁部２２であって第２横枠本体２１の両端近傍の部分をそれぞれ矩形状に切り欠いて、第２横枠本体２１の天井部２３の両端部分を、対応する縦枠部材３０，３０の第１担持部３３ａ，３３ａに連結させる第１連結部２８ａ，２８ａに、また、第２横枠本体２１の底壁部２２の両端部分を、対応する縦枠部材３０，３０の第２担持部３７，３７に連結させる第２連結部２８ｂ，２８ｂにしてある。そして、両第１連結部２８ａ，２８ａには、第１固定螺子８，８、８，８を螺入するための２対の螺子孔が、天井部２３の幅方向へ距離を隔てて開設してあり、更に、両第２連結部２８ｂ，２８ｂには、第２固定螺子９，９を螺入するための螺子孔が、底壁部２２の横枠用厚肉部２２ｂを貫通する様態で開設してある。
【００５７】
図１０は、図１に示したドア枠の取手４近傍位置での一部省略横断面図である。なお、図中、図１に示した部分に対応する部分には、同じ番号を付してある。図１０に示した如く、縦枠部材３０の両縦枠用溝壁部３６ａ，３６ａ上に略Ｌ字状の取手４が、縦枠用溝部３６の開口を覆うように配置してあり、この取手４は、当該取手４、縦枠部材３０の天井部３３及び連結部３５ｂを貫通する固定螺子５によって縦枠部材３０に固定してある。
【００５８】
この縦枠部材３０の固定用溝３５に間隙部材４０の一部を嵌合させて、前記固定螺子によって固定してある。間隙部材４０は、帯板状の本体４１の一面であって一側縁近傍の位置に、縦枠部材３０の前記突出部３２ｃに外嵌する倒立Ｌ字状の第１外嵌部４２が本体４１の長手方向の全領域に亘って立設してあり、この第１外嵌部４２から縦枠部材３０の前記開口３５ａの幅寸法より所要寸法だけ短い距離を隔てた位置に、前記底壁部３２の第１部分３２ａに外嵌する略つ字状の第２外嵌部４３が本体４１の長手方向の全領域に亘って立設してある。また、本体４１の第１外嵌部４２と第２外嵌部４３との間の略中央に、前述した固定螺子５を貫通させる貫通孔が開設してある。
【００５９】
そして、間隙部材４０の第２外嵌部４３を縦枠部材３０の第１部分３２ａに外嵌させ、第２外嵌部４３の奥部まで第１部分３２ａが進入するように間隙部材４０を前進させ、この状態で固定用溝３５の開口３５ａに臨む第１外嵌部４２を固定用溝３５内へ進入させた後に間隙部材４０を後退させることによって、第１外嵌部４２を縦枠部材３０の突出部３２ｃに外嵌させて、間隙部材４０を固定用溝３５に嵌合させる。そして、前記貫通孔内を固定螺子５を貫通させ、この固定螺子５の先端にボルトを螺着させることによって、本体４１の他側がわの部分が縦枠部材３０から突出するように間隙部材４０が縦枠部材３０に着脱可能に固定してある。
【００６０】
このとき、第２外嵌部４３の開口部の幅寸法が比較的広くしてあるため、第２外嵌部４３を縦枠部材３０の第１部分３２ａに外嵌させる作業を容易に行なうことができる。また、第１部分３２ａを突出部３２ｃに外嵌させた状態で螺子止するため、間隙部材４０を一本の固定螺子５でガタが生じることなく固定することができる。
【００６１】
このような縦枠部材３０，３０、第１横枠部材１０、及び第２横枠部材２０，２０，…等を用いて、ドア枠２は次のように組み立ててある。
【００６２】
すなわち、両縦枠部材３０，３０を、その縦枠用溝部３６，３６を正面にした状態で互いに距離を隔てて平行に配し、両縦枠部材３０，３０の正面一端縁間に第１横枠部材１０を掛け渡す。このとき、第１横枠部材１０の両第１横枠用連結部１８，１８が両縦枠部材３０，３０の第１担持部３３ａ，３３ａ上に、また、第１横枠部材１０の両側壁部１５，１５の長手方向の両端部が両縦枠部材３０，３０の第２担持部３７，３７上に担持されており、両第１横枠用連結部１８，１８に開設した対をなす螺子孔と、両第１担持部３３ａ，３３ａの対応する位置に開設した対をなす螺子孔とは一致させてある。
【００６３】
そして、第１固定螺子８，８、８，８を、第１横枠用連結部１８，１８の螺子孔と第１担持部３３ａ，３３ａの螺子孔とを貫通ように螺入させることによって、第１横枠部材１０を両縦枠部材３０，３０間に架設する。この第１横枠部材１０の一側壁部１５には、前述した如く戸車６，６が取付具７，７によって回転自在に取り付けてある。
【００６４】
また、両縦枠部材３０，３０の正面他端縁間に第２横枠部材２０を掛け渡すと共に、両縦枠部材３０，３０の長手方向の正面中間部間に複数の第２横枠部材２０，２０，…をそれぞれ掛け渡す。このとき、第２横枠部材２０の両第１連結部２８ａ，２８ａが両縦枠部材３０，３０の第１担持部３３ａ，３３ａ上に、また、第２横枠部材２０の両第２連結部２８ｂ，２８ｂが両縦枠部材３０，３０の第２担持部３７，３７上に担持されており、両第１連結部２８ａ，２８ａに開設した対をなす螺子孔と、両第１担持部３３ａ，３３ａの対応する位置に開設した対をなす螺子孔と、及び、両第２連結部２８ｂ，２８ｂに開設した螺子孔と、両第２担持部３７，３７の対応する位置に開設した螺子孔とはそれぞれ一致させてある。
【００６５】
そして、第１固定螺子８，８，…を、第１連結部２８ａ，２８ａの螺子孔と第１担持部３３ａ，３３ａの螺子孔とを貫通ように螺入させ、第２固定螺子９，９，…を、第２担持部３７，３７の螺子孔と第２連結部２８ｂ，２８ｂの螺子孔とを貫通ように螺入させることによって、各第２横枠部材２０を両縦枠部材３０，３０間にそれぞれ架設する。
【００６６】
また、取手４及び間隙部材４０を一方の縦枠部材３０に前述した如く取り付ける。
【００６７】
このようにドア枠２は、筒状の両縦枠部材３０，３０の間に、やはり筒状の複数の第２横枠部材２０，２０，…が架設して組み立ててあるため、ドア枠２に加えられる捩れに抗する力が強い。また、縦枠部材３０の第１担持部３３ａによって、第２横枠部材２０の第１連結部２８ａが担持されている上に、縦枠部材３０の第２担持部３７によって、筒状の第２横枠部材２０の底壁部２２たる第２連結部２８ｂが担持されているため、ドア枠２に加えられる捩れに抗する力が向上している。更に、縦枠部材３０の第２担持部３７と、これに担持された第２横枠部材２０の第２連結部２８ｂとが第２固定螺子９によって連結固定してあるため、ドア枠２に加えられる捩れに抗する力が更に向上している。
【００６８】
かかるドア枠２に、長方形のビニールシートを被覆させ、このビニールシートの外側からその各縁部又は中間部分を複数の蛇行形状の前記スプリングでそれぞれ押さえ、各スプリングを、対応する縦枠部材３０，３０の縦枠用溝部３６，３６並びに第１横枠部材１０の第１横枠用溝部１４及び第２横枠部材２０，２０，…の第２横枠用溝２６，２６，…内に嵌入させてドアを形成する。
【００６９】
図１１は、図１に示したドア枠２を吊戸に適用した様態を示す部分斜視図であり、図中、６１は、出入口の上端部に横架された上レールである。なお、図中、図１に示した部分に対応する部分には同じ番号を付してその説明を省略する。上レール６１は、帯板を端面視が矩形Ｃ字状に曲加工することによって一面に開口６２を設けてなり、この開口６２が下に向くように配設されている。
【００７０】
そして、前述した如く組み立てた２枚のドア１，１が、両ドア１，１に取付けた戸車を前記開口６２を跨ぐように挿入して、上レール６１の長手方向へ移動自在に吊下してある。
【００７１】
このようなドア１，１にあっては、前述した如く捩れ強度が高いドア枠２を用いているため、台風などの大風に対しても十分な強度を有するものとなっている。また、結果的にも耐久性が向上し、寿命も長くなる。
【００７２】
なお、本実施の形態では、吊戸に適用したドア枠について説明したが、本発明はこれに限らず、引き戸又は開き戸にも適用し得ることはいうまでもない。
【００７３】
また、縦枠部材３０は、間隙部材４０を固定する固定用溝３５を設けた場合に付いて説明したが、本発明はこれに限らず、図１２から図１７に示した如く、固定用溝を設けていない縦枠部材を用いてもよい。
【００７４】
図１２から図１７は、固定用溝を設けていない他の縦枠部材の部分正面図、部分背面図、一側面図、他側面図、及び平面図であり、図１７は図１６に示した縦枠部材３０ａのＸＶＩＩ−ＸＶＩＩ線による断面図である。なお、これら各図中、図４から図９に示した部分に対応する部分には同じ番号を付して、その説明を省略する。
【００７５】
図１２から図１７に示した如く、縦枠部材３０ａの底壁部３２は、その全領域で平坦になしてあり、前述した固定用溝３５は設けられていない。かかる、縦枠部材３０ａは、前述した固定用溝３５を設けた縦枠部材３０と組み合わせて、又は当該縦枠部材３０ａ，３０ａだけを用いることができる。
【図面の簡単な説明】
【００７６】
【図１】本発明に係るドア枠の一例を示す正面斜視図である。
【図２】図１に示したドア枠の分解斜視図である。
【図３】図１に示したドア枠の部分拡大断面図を含む背面図である。
【図４】図１に示した縦枠部材の部分正面図である。
【図５】図１に示した縦枠部材の部分背面図である。
【図６】図１に示した縦枠部材の一側面図である。
【図７】図１に示した縦枠部材の他側面図である。
【図８】図１に示した縦枠部材の平面図である。
【図９】図８に示した縦枠部材のＩＶ−ＩＶ線による断面図である。
【図１０】図１に示したドア枠の取手近傍位置での一部省略横断面図である。
【図１１】図１に示したドア枠を吊戸に適用した様態を示す部分斜視図である。
【図１２】固定用溝を設けていない他の縦枠部材の部分正面図である。
【図１３】固定用溝を設けていない他の縦枠部材の部分背面図である。
【図１４】固定用溝を設けていない他の縦枠部材の一側面図である。
【図１５】固定用溝を設けていない他の縦枠部材の他側面図である。
【図１６】固定用溝を設けていない他の縦枠部材の平面図である。
【図１７】図１６に示した縦枠部材のＸＶＩＩ−ＸＶＩＩ線による断面図である。
【図１８】従来のドア枠の使用状態を示す部分斜視図である。
【図１９】従来の上レール及びドア枠の部分縦断面図である。
【符号の説明】
【００７７】
２      ドア枠
８      第１固定螺子
９      第２固定螺子
１０      第１横枠部材
１１      第１横枠本体
１８      第１横枠用連結部
２０      第２横枠部材
２１      第２横枠本体
２２ｂ    横枠用厚肉部
２２ｄ    線状凹部
２３      天井部
２４      側壁部
２８      第２横枠用連結部
２８ａ    第１連結部
２８ｂ    第２連結部
３０      縦枠部材
３１      縦枠本体
３２ａ    第１部分
３２ｂ    第２部分
３２ｃ    突出部
３３ａ    第１担持部
３３ｂ    縦枠用厚肉部
３３ｃ    段差部
３３ｄ    線状凹部
３５      固定用溝
３５ａ    開口
３７      第２担持部
４０      間隙部材
４１      本体
【図１】
2006296250.tif 000003
【図２】
2006296250.tif 000004
【図３】
2006296250.tif 000005
【図４】
2006296250.tif 000006
【図５】
2006296250.tif 000007
【図６】
2006296250.tif 000008
【図７】
2006296250.tif 000009
【図８】
2006296250.tif 000010
【図９】
2006296250.tif 000011
【図１０】
2006296250.tif 000012
【図１１】
2006296250.tif 000013
【図１２】
2006296250.tif 000014
【図１３】
2006296250.tif 000015
【図１４】
2006296250.tif 000016
【図１５】
2006296250.tif 000017
【図１６】
2006296250.tif 000018
【図１７】
2006296250.tif 000019
【図１８】
2006296250.tif 000020
【図１９】
2006296250.tif 000021